(57)【特許請求の範囲】
【請求項１】
容器本体内に収容した液剤をブラシ歯表面に開口した注出口から注出する塗布用ブラシ付き注出容器であって、容器本体に取り付けられて液剤の案内通路を形成する柄部と、縦横に林立された多数のブラシ歯を有して該柄部に取り付けられるブラシ体とを備え、該ブラシ歯には該柄部の案内通路に連通して歯丈方向に延びる液剤の注出通路と、該注出通路の先端に連通してブラシ歯を径方向に貫通する注出口とが形成され、該注出口は、すべての当該注出口が互いに向かい合わないように、隣接するブラシ歯同士間でその開口方向が異なっていることを特徴とする塗布用ブラシ付き注出容器。
【発明の詳細な説明】
【０００１】
【発明の属する技術分野】
本発明は、容器本体内に収容した液剤（染髪剤、整髪料、育毛剤等）を多数のブラシ歯表面に開口した注出口から注出して毛髪に塗布し得るようにした液剤の塗布用ブラシ付き注出容器の改良に関する。
【０００２】
【従来の技術】
従来より、容器内に収容した染髪剤を当該容器に取り付けたブラシ体のブラシ歯間に導いて、このブラシ体で毛髪を梳くことによって表面に塗布し得るようにした染髪剤の塗布用ブラシ付き注出容器が知られている。
【０００３】
この種の注出容器は、容器本体とこの容器本体に柄部を介して取り付けるブラシ体とからなり、柄部はその内部に容器本体内の染髪剤をブラシ体に導くための案内通路が設けられて中空の管体状に形成され、一端が容器本体の口部に取り付けられるようになっている。また、ブラシ体は柄部他端の先端側に拡開形成された取付ベースに一体化されて設けられており、多数の軸状のブラシ歯が縦横に林立されている。そして、ブラシ歯にはこれを径方向に貫通して形成された注出口、及びこの注出口と上記柄部の案内通路とを連通する注出通路が形成されていて、容器本体内の染髪剤は案内通路と注出通路とを通じてブラシ歯の注出口から両側方に流れ出すようになっている。
【０００４】
【発明が解決しようとする課題】
しかしながら、前記の様な従来の染髪剤の塗布用ブラシ付き注出容器では、ブラシ歯に形成される注出口が、全て同一方向に揃えられて形成されていたので、染髪剤をブラシ上に平均させて滞留させることができず、毛髪に均一に塗布するのが困難であるといった課題があった。
【０００５】
本発明は上記課題に鑑みて創案されたものであり、その目的は、ブラシ体で毛髪に液剤（染髪剤、整髪料、育毛剤等）を塗布するにあたって、ブラシ上の全面に平均に液剤を導いて滞留させることができ、もって毛髪の広い範囲に亘ってむらなく塗布可能で、塗布作業が楽に行える塗布用ブラシ付き注出容器を提供することにある。
【０００６】
【課題を解決するための手段】
かかる目的を達成するために、本発明に係る液剤の塗布用ブラシ付き注出容器は、容器本体内に収容した液剤をブラシ歯表面に開口した注出口から注出するものにおいて、容器本体に取り付けられて液剤の案内通路を形成する柄部と、縦横に林立された多数のブラシ歯を有して該柄部に取り付けられるブラシ体とを備え、該ブラシ歯には該柄部の案内通路に連通して歯丈方向に延びる液剤の注出通路と、該注出通路の先端に連通してブラシ歯を径方向に貫通する注出口とが形成され、該注出口は、すべての当該注出口が互いに向かい合わないように、隣接するブラシ歯同士間でその開口方向が異なっていることを特徴とする。
【０００７】
【発明の実施の形態】
以下、本発明の好ましい実施の形態につき、添付図面を参照して詳細に説明する。図１は本発明に係る塗布用ブラシ付き注出容器の一実施形態を示す全体斜視図であり、図２はブラシ歯部分を正面から見た図、図３は図２中のIII−III線矢視断面図、図４はブラシ体の要部を拡大して示す要部拡大斜視図、図５はブラシ体の隣接する２つのブラシ歯の関係を説明するもので、同図（ａ）は正面図、同図（ｂ）は（ａ）中のｂ−ｂ線矢視断面図、図６は図５（ｂ）を斜視断面で示す図である。
【０００８】
これらに図示するように、この実施形態の塗布用ブラシ付き注出容器２は、液剤として染髪剤が収容される容器本体４と、この容器本体４の口部４２に着脱可能に螺合されて取り付けられるアダプター６と、このアダプター６に嵌合装着される柄部８と、この柄部８に取り付けられるブラシ体１０とからなる。なお、液剤としては上記染髪剤に限らず整髪料や育毛剤等の毛髪に塗布するものが適用できる。
【０００９】
容器本体４は、内容物の染髪剤を押し出すために軟質な合成樹脂によって全体としては薄肉な瓶状に形成されているが、縮径された口部４２は厚肉にされて剛性が高められているとともにその外周面には雄ねじ部４４が形成されて上記アダプター６が螺合されるようになっている。
【００１０】
アダプター６は大径部６２と小径部６４とからなる段部を有した筒体状をなし、大径部６２の内側面に形成された雌ねじ部６３が容器本体４の口部４２の雄ねじ部４４に螺合される。また、この大径部６２の内側には容器本体４の口部４２内周面に嵌合して密封性を確保するための筒体部６５が小径部６４側から突出形成されている。小径部６４にはその内側に柄部８の筒状の基端部８０４が嵌合固定されるようになっており、小径部６４の内周面に環状に形成されている係合溝６６と柄部８の基端部８０４外周面に形成された環状突起８０３とが係合しあって、それらは密封性を保って強固に結合する。
【００１１】
上記基端部８０４に連なる柄本体部８０２は、先端部側が徐々に絞られた中空の管体状に形成されており、その内部空間が染髪剤の案内通路８１０となっている。また、柄本体部８０２と基端部８０４との境は段部に形成されており、この段部がアダプター６の小径部６４の端面に当接する。ところで、柄本体部８０２の先端側は側方に所定の角度で曲げられ、かつその先端は矩形枠体状に大きく拡開形成されていて、当該拡開部分の矩形枠体状部分が後述するブラシ体１０の取付ベース８０６になっており、この取付ベース８０６はその対角線が柄部本体８０２の長手方向に合わせられて斜めに配置されている。また、矩形枠体状の取付ベース８０６にはその端面の内周部に沿って環状に凹む段部８０８が形成されており、この段部８０８にブラシ体１０が一体的に装着されるようになっている。
【００１２】
ブラシ体１０は上記取付ベース８０６部の段部８０８に装着されて接着剤などで一体化されるブラシ歯連結板１０４と、このブラシ歯連結板１０４の表面から起立して一体的に突出形成された多数の丸軸状のブラシ歯１０２とからなる。ブラシ歯連結板１０４は上記取付ベース８０６の段部８０８の内寸に合わせられた矩形をなし、周縁部がその環状の段部８０８に嵌合当接されて一体的に取り付けられ、この周縁部を除く裏面は取付ベース８０６の内側に矩形に拡大形成されている案内通路８１０に臨んでいる。
【００１３】
上記ブラシ歯１０２はその歯元部の径が太く、先端側に向けて若干縮径していくテーパー状をなし、先端の歯先部は球形に形成されている。このブラシ歯１０２は矩形の連結板１０４の対角線方向に沿って多数縦横に整列状態で林立している。そして、これらブラシ歯列の最外側に位置する１６本のブラシ歯１０２ａを除く他の全てのブラシ歯１０２ｂ，１０２ｃには、その軸心に染髪剤の注出通路１１４が歯丈方向に歯先近傍まで延出されて形成され、これら各注出通路１１４は柄本体部８０２の案内通路に連通する。
【００１４】
また、各ブラシ歯１０２ｂ，１０２ｃには注出通路１１４の先端に連通する注出口１１６が径方向に貫通形成されており、この注出口１１６は図２〜４に示すように、ブラシ歯連結板１０４においてすべての当該注出口が互いに向かい合わないように、隣接するブラシ歯１０２ｂ，１０２ｃ同士間でその開口方向が異なっている。即ち、注出口１１６が柄部８の長手方向を指向して開口されたブラシ歯１０２ｂと、柄部８の長手方向に直行する方向を指向して開口されたブラシ歯１０２ｃとがそれぞれ縦横に交互に並んでいる。ここで、注出通路１１４はその横断面が長方形をなし、注出口１１６の開口方向が長辺となっている。そして、この長辺の両端部側となる短辺部分にはブラシ歯１０２ｂ，１０２ｂの肉厚を確保して注出通路１１４を画成するための膨出部１１２が一体的に設けられている。また、横断面長方形の注出通路１１４はその短辺側の長さは一定に形成される一方、長辺側の長さは歯先側に行くに従い徐々に短く形成されていて、短辺側は傾斜面になっている。
【００１５】
上述の如く構成される本実施形態の染髪剤の塗布用ブラシ付き注出容器２では、容器本体部４の外周部を軽く押し込むと、内容物の染髪剤が柄部４の案内通路８１０に押し出されてここに充満し、更にブラシ体１０の各ブラシ歯１０２ｂ，１０２ｃの注出通路１１４内に流れ込んで、その各注出通路１１４の先端部に連通した注出口１１６を通じてブラシ歯１０２ｂ，１０２ｃ間に流出して滞留する。この時、隣接するブラシ歯１０２ｂ，１０２ｃの注出口１１６，１１６は互いにその向きが９０度異なっているから、染髪剤は各ブラシ歯１０２ｂと１０２ｃとの間の隙間に広く平均してムラなく拡散することになる。このため、ブラシ体１０で毛髪を梳いて染髪剤を塗布するにあたって、毛髪の広い範囲に亘って一度にむらなく塗布することができるようになり、染髪剤の塗布作業が楽に行えるようになる。
【００１６】
図７、図８は注出口の変形例を隣接する２つのブラシ歯によって代表して示すものであり、図７は斜視図、図８（ａ）は平面図、同図（ｂ）は（ａ）中のｂ−ｂ線矢視断面図である。これらに図示するように、この変形例にあっては注出口１１６をブラシ歯連結板１０４の上面から注出通路１１４に沿ってそのほぼ全長に亘って形成しており、ブラシ歯１０２ｂ，１０２ｃには注出通路１１４をブラシ歯間の空間と画成するための膨出部は設けられていない。このように、歯丈方向に長く形成すれば、ブラシ体１０上に染髪剤を広く拡散させて平均して滞留させ得るばかりか、その滞留厚みも大きく確保することができ、もってより一層に染髪剤の塗布作業が楽に行えるようになる。
【００１７】
【発明の効果】
以上説明したように、本発明に係る塗布用ブラシ付き注出容器によれば、ブラシ歯に形成した液剤の注出通路の先端に連通させて、当該ブラシ歯をその径方向に貫通して形成する注出口の開口方向を、すべての当該注出口が互いに向かい合わないように、隣接するブラシ歯同士間で異ならせているので、ブラシ体上に注出して滞留される液剤は各ブラシ歯間の隙間に平均して広く拡散することになり、もってブラシ体で毛髪に液剤を塗布するにあたって、一度に広い範囲に亘ってむらなく塗布することができ、液剤の塗布作業が楽に行えるようになる。
【図面の簡単な説明】
【図１】本発明に係る塗布用ブラシ付き注出容器の一実施形態を示す全体斜視図である。
【図２】そのブラシ歯部分を正面から見た図である。
【図３】図２中のIII−III線矢視断面図である。
【図４】ブラシ体の要部を拡大して示す要部拡大斜視図である。
【図５】ブラシ体の隣接する２つのブラシ歯の関係を説明するもので、同図（ａ）は正面図、同図（ｂ）は（ａ）中のｂ−ｂ線矢視断面図である。
【図６】図５と同じくブラシ体の隣接する２つのブラシ歯の関係を説明する斜視断面図である。
【図７】注出口の変形例を隣接する２つのブラシ歯によって代表して示す斜視図である。
【図８】同図（ａ）は図７と同じく注出口の変形例を隣接する２つのブラシ歯によって代表して示す平面図、同図（ｂ）は（ａ）中のｂ−ｂ線矢視断面図である。
【符号の説明】
２      塗布用ブラシ付き注出容器
４      容器本体
６      アダプター
８      柄部
８０６  取付ベース
８０８  段部
８１０  案内通路
１０    ブラシ体
１０２  ブラシ歯
１０４  ブラシ歯連結板
１１４  注出通路
１１６  注出口
【図１】
0004667579.tif 000002
【図２】
0004667579.tif 000003
【図３】
0004667579.tif 000004
【図４】
0004667579.tif 000005
【図５】
0004667579.tif 000006
【図６】
0004667579.tif 000007
【図７】
0004667579.tif 000008
【図８】
0004667579.tif 000009